(57)【要約】  通信のための方法が提案される。この方法は、ネットワークノードからシグナリングメッセージを受信することを含むことができる。シグナリングメッセージは、同期信号送信のためのサブキャリア間隔ヌメロロジを示すことができる。本方法は、シグナリングメッセージに少なくとも部分的に基づいて、サブキャリア間隔ヌメロロジを決定することをさらに含み得る。  【選択図】  図３
2021501497.tif 000002
【特許請求の範囲】
【請求項１】
ユーザ装置において実施される方法（３００）であって、
シグナリングメッセージであって、同期信号伝送のためのサブキャリア間隔ヌメロロジを示す前記シグナリングメッセージをネットワークノードから受信すること（３０２）と、
前記シグナリングメッセージに少なくとも部分的に基づいて前記サブキャリア間隔ヌメロロジを決定すること（３０４）と、
を含むことを特徴とする方法。
【請求項２】
請求項１に記載の方法であって、前記シグナリングメッセージは、ブロードキャストシグナリングメッセージを含むことを特徴とする方法。
【請求項３】
請求項１または２に記載の方法であって、前記シグナリングメッセージは、セル再選択に関連付けられた情報エレメントを含むことを特徴とする方法。
【請求項４】
請求項１に記載の方法であって、前記シグナリングメッセージは、前記ユーザ装置のための専用シグナリングメッセージを含むことを特徴とする方法。
【請求項５】
請求項１または４に記載の方法であって、前記シグナリングメッセージは、周波数測定に関連付けられた情報エレメントを含むことを特徴とする方法。
【請求項６】
請求項１から５のいずれか１項に記載の方法であって、前記シグナリングメッセージは、指定された周波数帯における前記同期信号伝送のための前記サブキャリア間隔ヌメロロジを指示するためのインジケータを含むことを特徴とする方法。
【請求項７】
請求項１から６のいずれか１項に記載の方法であって、前記サブキャリア間隔ヌメロロジは、Ｎｅｗ  Ｒａｄｉｏのキャリアに適用可能であることを特徴とする方法。
【請求項８】
請求項１から７のいずれか１項に記載の方法であって、前記決定されたサブキャリア間隔ヌメロロジに従って前記同期信号伝送を検出することをさらに含むことを特徴とする方法。
【請求項９】
請求項１および請求項３から８のいずれか１項に記載の方法であって、前記シグナリングメッセージは、Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎメッセージであることを特徴とする方法。
【請求項１０】
請求項１および請求項３から９のいずれか１項に記載の方法であって、前記シグナリングメッセージは、前記同期信号伝送のためのサブキャリア間隔ヌメロロジを指示するＭｅａｓＯｂｊｅｃｔＮＲ情報エレメントを含むことを特徴とする方法。
【請求項１１】
装置（５００）であって、
１つ以上のプロセッサ（５０１）と、
コンピュータプログラムコード（５０３）を含む１つ以上のメモリ（５０２）と、
を備え、前記１つ以上のメモリ（５０２）と前記コンピュータプログラムコード（５０３）とが前記１つ以上のプロセッサ（５０１）とともに、前記装置（５００）に、
シグナリングメッセージであって、同期信号伝送のためのサブキャリア間隔ヌメロロジを示す前記シグナリングメッセージをネットワークノードから受信させ、
前記シグナリングメッセージに少なくとも部分的に基づいて前記サブキャリア間隔ヌメロロジを決定させる、
よう構成されることを特徴とする装置。
【請求項１２】
請求項１１に記載の装置であって、前記シグナリングメッセージは、ブロードキャストシグナリングメッセージを含むことを特徴とする装置。
【請求項１３】
請求項１１または１２に記載の装置であって、前記シグナリングメッセージは、セル再選択に関連付けられた情報エレメントを含むことを特徴とする装置。
【請求項１４】
請求項１１に記載の装置であって、前記シグナリングメッセージは、前記装置のための専用シグナリングメッセージを含むことを特徴とする装置。
【請求項１５】
請求項１１または１４に記載の装置であって、前記シグナリングメッセージは、周波数測定に関連付けられた情報エレメントを含むことを特徴とする装置。
【請求項１６】
請求項１１から１５のいずれか１項に記載の装置であって、前記シグナリングメッセージが、指定された周波数帯における前記同期信号伝送のための前記サブキャリア間隔ヌメロロジを指示するためのインジケータを含むことを特徴とする装置。
【請求項１７】
請求項１１から１６のいずれか１項に記載の装置であって、前記サブキャリア間隔ヌメロロジは、Ｎｅｗ  Ｒａｄｉｏのキャリアに適用可能であることを特徴とする装置。
【請求項１８】
請求項１１から１７のいずれか１項に記載の装置であって、前記１つ以上のメモリおよび前記コンピュータプログラムコードは前記１つ以上のプロセッサと共に、前記装置に少なくともさらに、決定された前記サブキャリア間隔ヌメロロジに従って前記同期信号伝送を検出させるよう構成されることを特徴とする装置。
【請求項１９】
請求項１１および請求項１３から１８のいずれか１項に記載の装置であって、前記シグナリングメッセージは、Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎメッセージであることを特徴とする装置。
【請求項２０】
請求項１１および請求項１３から１９のいずれか１項に記載の装置であって、前記シグナリングメッセージは、前記同期信号伝送のためのサブキャリア間隔ヌメロロジを指示するＭｅａｓＯｂｊｅｃｔＮＲ情報エレメントを含むことを特徴とする装置。
【請求項２１】
ネットワークノードで実施される方法（４００）であって、
同期信号伝送のためのサブキャリア間隔ヌメロロジを指示するシグナリングメッセージを決定すること（４０２）と、
前記シグナリングメッセージをユーザ装置に送信すること（４０４）と、
を含むことを特徴とする方法。
【請求項２２】
請求項２１に記載の方法であって、前記シグナリングメッセージは、ブロードキャストシグナリングメッセージを含むことを特徴とする方法。
【請求項２３】
請求項２１または２２に記載の方法であって、前記シグナリングメッセージは、セル再選択に関連付けられた情報エレメントを含むことを特徴とする方法。
【請求項２４】
請求項２１に記載の方法であって、前記シグナリングメッセージは、前記ユーザ装置のための専用シグナリングメッセージを含むことを特徴とする方法。
【請求項２５】
請求項２１または２４に記載の方法であって、前記シグナリングメッセージは、周波数測定に関連付けられた情報エレメントを含むことを特徴とする方法。
【請求項２６】
請求項２１から２５のいずれか１項に記載の方法であって、前記シグナリングメッセージは、指定された周波数帯における前記同期信号伝送のための前記サブキャリア間隔ヌメロロジを示すためのインジケータを含むことを特徴とする方法。
【請求項２７】
請求項２１から２６のいずれか１項に記載の方法であって、前記サブキャリア間隔ヌメロロジは、Ｎｅｗ  Ｒａｄｉｏのキャリアに適用可能であることを特徴とする方法。
【請求項２８】
請求項２１から２７のいずれか１項に記載の方法であって、前記サブキャリア間隔ヌメロロジは、前記ユーザ装置に関連付けられたネットワーク構成に適応可能であることを特徴とする方法。
【請求項２９】
請求項２１および請求項２３から２８のいずれか１項に記載の方法であって、前記シグナリングメッセージは、Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎメッセージであることを特徴とする方法。
【請求項３０】
請求項２１および請求項２３から２８のいずれか１項に記載の方法であって、前記シグナリングメッセージは、前記同期信号伝送のための前記サブキャリア間隔ヌメロロジを示すＭｅａｓＯｂｊｅｃｔＮＲ情報エレメントを含むことを特徴とする方法。
【請求項３１】
装置（５００）であって、
１つ以上のプロセッサ（５０１）と、
コンピュータプログラムコード（５０３）を含む１つ以上のメモリ（５０２）と、
を備え、前記１つ以上のメモリ（５０２）と前記コンピュータプログラムコード（５０３）とが前記１つ以上のプロセッサ（５０１）とともに、前記装置（５００）に、
同期信号伝送のためのサブキャリア間隔ヌメロロジを指示するシグナリングメッセージを決定させ、
前記シグナリングメッセージをユーザ装置に送信させる、
よう構成されることを特徴とする装置。
【請求項３２】
請求項３１に記載の装置であって、前記シグナリングメッセージは、ブロードキャストシグナリングメッセージを含むことを特徴とする装置。
【請求項３３】
請求項３１または３２に記載の装置であって、前記シグナリングメッセージは、セル再選択に関連付けられた情報エレメントを含むことを特徴とする装置。
【請求項３４】
請求項３１に記載の装置であって、前記シグナリングメッセージは、前記ユーザ装置のための専用シグナリングメッセージを含むことを特徴とする装置。
【請求項３５】
請求項３１または３４に記載の装置であって、前記シグナリングメッセージは、周波数測定に関連付けられた情報エレメントを含むことを特徴とする装置。
【請求項３６】
請求項３１から３５のいずれか１項に記載の装置であって、前記シグナリングメッセージが、指定された周波数帯における前記同期信号伝送のための前記サブキャリア間隔ヌメロロジを指示するためのインジケータを含むことを特徴とする装置。
【請求項３７】
請求項３１から３６のいずれか１項に記載の装置であって、前記サブキャリア間隔ヌメロロジは、Ｎｅｗ  Ｒａｄｉｏのキャリアに適用可能であることを特徴とする装置。
【請求項３８】
請求項３１から３７のいずれか１項に記載の装置であって、前記サブキャリア間隔ヌメロロジは、前記ユーザ装置に関連付けられたネットワーク構成に適応可能であることを特徴とする装置。
【請求項３９】
請求項３１および請求項３３から３８のいずれか１項に記載の装置であって、前記シグナリングメッセージは、Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎメッセージであることを特徴とする装置。
【請求項４０】
請求項３１および請求項３３から３９のいずれか１項に記載の装置であって、前記シグナリングメッセージは、前記同期信号伝送のためのサブキャリア間隔ヌメロロジを指示するＭｅａｓＯｂｊｅｃｔＮＲ情報エレメントを含むことを特徴とする装置。
【請求項４１】
コンピュータ上で実行されると、前記コンピュータに請求項１から１０のいずれか１項に記載の方法を実行させるコンピュータプログラムコード（５０３）を有するコンピュータ可読媒体。
【請求項４２】
コンピュータ上で実行されると、前記コンピュータに請求項２１から３０のいずれか１項に記載の方法を実行させるコンピュータプログラムコード（５０３）を有するコンピュータ可読媒体。
【請求項４３】
装置（６００）であって、
シグナリングメッセージであって、同期信号伝送のためのサブキャリア間隔ヌメロロジを指示する前記シグナリングメッセージをネットワークノードから受信するように構成された受信手段（６０１）と、
前記シグナリングメッセージに少なくとも部分的に基づいて前記サブキャリア間隔ヌメロロジを決定するように構成された決定手段（６０２）と、
を有することを特徴とする装置。
【請求項４４】
装置（７００）であって、
同期信号伝送のためのサブキャリア間隔ヌメロロジを指示するシグナリングメッセージを決定するように構成された決定手段（７０１）と、
前記シグナリングメッセージをユーザ装置に送信するように構成された送信手段（７０２）と、
を有することを特徴とする装置。
【発明の詳細な説明】
【技術分野】
【０００１】
本開示は一般に、通信ネットワークに関し、より具体的には、通信ネットワークにおけるサブキャリア間隔ヌメロロジ（subcarrier spacing numerology）に関する。
【背景技術】
【０００２】
このセクションは、本開示のより良い理解を容易にすることができる態様を紹介する。したがって、このセクションの記述はこの観点から読まれるべきであり、従来技術に何があるか、または従来技術に何がないかについての承認として理解されるべきではない。
【０００３】
通信サービスプロバイダおよびネットワークオペレータは例えば、魅力的なネットワークサービスおよびパフォーマンスを提供することによって、消費者に価値および利便性を提供するという課題に絶えず直面してきた。ネットワーキングおよび通信技術の急速な発展に伴い、端末デバイスは複数のタイプのサービスを取得するために、ロングタームエボリューション（ＬＴＥ）／第４世代（４Ｇ）ネットワークまたはＮｅｗ  Ｒａｄｉｏ（ＮＲ）／第５世代（５Ｇ）ネットワークなどの異なる無線通信ネットワークに接続され得る。ネットワークに接続するために、端末デバイスはネットワーク同期を取り、必要不可欠なシステム情報（ＳＩ）を取得する必要があり得る。例えば、端末デバイスは、異なるサポートされた周波数帯域における一次同期信号（ＰＳＳ）シーケンスに基づいて、初期アクセスのための周波数掃引を行う必要があり得る。しかしながら、複数のサブキャリア間隔（ＳＣＳ）ヌメロロジは同期信号の伝送のために同時に適用されることがあり、それは、端末デバイスのための同期信号を検出する複雑さを増加させる可能性がある。したがって、より効率的な方法で同期信号の検出を改善することが望ましい場合がある。
【発明の概要】
【０００４】
この発明の概要は、以下の詳細な説明でさらに説明される概念の選択を簡略化された形態で紹介するために提供される。本要約は、請求された主題の主要な特徴または必要不可欠な特徴を特定することを意図したものではなく、また、請求された主題の範囲を限定するために使用されることを意図したものでもない。
【０００５】
ＮＲ／５Ｇネットワークのような無線通信ネットワークは、柔軟なネットワーク構成およびチャネル帯域幅をサポートすることができる。同期信号および物理ブロードキャストチャネルブロック（略してＳＳ／ＰＢＣＨブロックまたはＳＳＢとしても知られている）のために、異なるＳＣＳヌメロロジまたは値を配置することができる。１つ以上のＳＣＳヌメロロジが異なる周波数帯域に対して同時に適用される場合、端末デバイスはＮＲセルにアクセスするときに、ＳＳＢに対して２つ以上のＳＣＳを試みなければならない場合がある。したがって、ＳＳＢの検出をより効率的に実施する必要があり得る。
【０００６】
本開示は例えば、ＮＲセルにアクセスするときに、端末デバイスが、１つ以上のＳＣＳを試みることなく、帯域当たり１つのＳＣＳのみを介してＳＳ伝送を検出することを可能にする、ＳＳ送信のＳＣＳヌメロロジを指示するための解決策を提案する。
【０００７】
本開示の第１の態様によれば、ユーザ装置（ＵＥ）などの端末デバイスにおいて実装される方法が提供される。この方法は、ネットワークノードからシグナリングメッセージを受信することを含むことができる。シグナリングメッセージは、ＳＳ伝送のためのＳＣＳヌメロロジを示すことができる。この方法は、シグナリングメッセージに少なくとも部分的に基づいて、ＳＣＳヌメロロジを決定することをさらに含み得る。
【０００８】
例示的な実施形態によれば、本開示の第１の態様による方法は、決定されたＳＣＳヌメロロジに従ってＳＳ伝送を検出することをさらに含むことができる。
【０００９】
本開示の第２の態様によれば、装置が提供される。装置は、１つ以上のプロセッサと、コンピュータプログラムコードを備える１つ以上のメモリとを備えることができる。１つ以上のメモリおよびコンピュータプログラムコードは１つ以上のプロセッサとともに、装置に、本開示の第１の態様による方法の任意のステップを少なくとも実行させるように構成され得る。
【００１０】
本開示の第３の態様によれば、コンピュータ上で実行されると、本開示の第１の態様による方法の任意のステップをコンピュータに実行させる、コンピュータプログラムコードを有するコンピュータ可読媒体が提供される。
【００１１】
本開示の第４の態様によれば、装置が提供される。装置は、受信部と決定部とを備えることができる。いくつかの例示的な実施形態によれば、受信部は、本開示の第１の態様による方法の少なくとも受信ステップを実行するように動作可能であってもよい。決定部は、本開示の第１の態様による方法の少なくとも決定ステップを実行するように動作可能であってもよい。
【００１２】
本開示の第５の態様によれば、基地局などのネットワークノードにおいて実施される方法が提供される。この方法は、ＳＳ伝送のためのＳＣＳヌメロロジを示すことができるシグナリングメッセージを決定することを備えることができる。この方法は、シグナリングメッセージを端末デバイスに送信することをさらに備えることができる。
【００１３】
本開示の第６の態様によれば、装置が提供される。装置は、１つ以上のプロセッサと、コンピュータプログラムコードを備える１つ以上のメモリとを備えることができる。１つ以上のメモリおよびコンピュータプログラムコードは１つ以上のプロセッサとともに、装置に、本開示の第５の態様による方法の任意のステップを少なくとも実行させるように構成され得る。
【００１４】
本開示の第７の態様によれば、コンピュータ上で実行されると、本開示の第５の態様による方法の任意のステップをコンピュータに実行させるコンピュータプログラムコードが実施されたコンピュータ可読媒体が提供される。
【００１５】
本開示の第８の態様によれば、装置が提供される。装置は、決定部と送信部とを備えることができる。いくつかの例示的な実施形態によれば、決定部は、本開示の第５の態様による方法の少なくとも決定部を実行するように動作可能であってもよい。送信部は、本開示の第５の態様による方法の少なくとも送信ステップを実行するように動作可能であってもよい。
【００１６】
例示的な実施形態によれば、シグナリングメッセージは、ブロードキャストシグナリングメッセージを備えることができる。任意選択で、シグナリングメッセージは、セル再選択に関連する情報エレメントを備えることができる。
【００１７】
例示的な実施形態によれば、シグナリングメッセージは、端末デバイスのための専用シグナリングメッセージを備えることができる。任意選択で、シグナリングメッセージは、周波数測定に関連する情報エレメントを含むことができる。
【００１８】
例示的な実施形態によれば、シグナリングメッセージは、指定された周波数帯域におけるＳＳ送信のためのＳＣＳヌメロロジを示すためのインジケータを備えることができる。
【００１９】
例示的な実施形態によれば、ＳＣＳは、Ｎｅｗ  Ｒａｄｉｏのキャリアに適用可能であり得る。任意選択で、ＳＣＳヌメロロジは、端末デバイスに関連するネットワーク構成に適応することができる。
【００２０】
例示的な実施形態によれば、シグナリングメッセージは、無線リソース制御（ＲＲＣ）の接続再構成（Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎ）メッセージであってもよい。
【００２１】
例示的な実施形態によれば、シグナリングメッセージは、ＳＳ伝送のためのＳＣＳヌメロロジを示すＭｅａｓＯｂｊｅｃｔＮＲの情報エレメントを備えることができる。
【００２２】
本開示の第９の態様によれば、通信システムが提供される。通信システムは、ユーザデータを提供するように構成された処理回路と、ユーザ装置（ＵＥ）への送信のためにユーザデータをセルラネットワークに転送するように構成された通信インターフェースとを備えるホストコンピュータを含み得る。ＵＥは、無線インターフェース及び処理回路を含むことができる。ＵＥの処理回路は、本開示の第１の態様による方法の任意のステップを少なくともＵＥに実行させるように構成することができる。
【００２３】
例示的な実施形態によれば、セルラネットワークは、無線インターフェースおよび処理回路を有する基地局を備えることができる。基地局の処理回路は、基地局に、本開示の第５の態様による方法の任意のステップを少なくとも実行させるように構成され得る。
【００２４】
例示的な実施形態によれば、本開示の第９の態様による通信システムは、ＵＥをさらに含むことができる。セルラネットワークは、ＵＥと通信するように構成された基地局をさらに含んでもよい。
【００２５】
例示的な実施形態によれば、ホストコンピュータの処理回路はホストアプリケーションを実行し、それによってユーザデータを提供するように構成されてもよい。ＵＥの処理回路は、ホストアプリケーションに関連付けられたクライアントアプリケーションを実行するように構成され得る。
【００２６】
本開示の第１０の態様によれば、通信システムが提供される。通信システムは、ＵＥから基地局への伝送に起因するユーザデータを受信するように構成された通信インターフェースを含んでもよい。ＵＥは、無線インターフェース及び処理回路を含むことができる。ＵＥの処理回路は、本開示の第１の態様による方法の任意のステップを少なくともＵＥに実行させるように構成することができる。
【００２７】
例示的な実施形態によれば、本開示の第１０の態様による通信システムは、基地局と通信するように構成されたＵＥをさらに含むことができる。通信システムはさらに、ＵＥと通信するように構成された無線インターフェースと、ＵＥから基地局への伝送によって運ばれるユーザデータをホストコンピュータに転送するように構成された通信インターフェースとを備える基地局を含むことができる。
【００２８】
例示的な実施形態によれば、基地局は、本開示の第５の態様による方法の任意のステップを少なくとも基地局に実行させるように構成された処理回路を備えることができる。
【００２９】
例示的な実施形態によれば、ホストコンピュータの処理回路は、ホストアプリケーションを実行するように構成されてもよい。ＵＥの処理回路は、ホストアプリケーションに関連付けられたクライアントアプリケーションを実行するように構成され、それによって、ホストコンピュータによって受信されるユーザデータを提供することができる。
【００３０】
例示的な実施形態によれば、ホストコンピュータの処理回路はホストアプリケーションを実行し、それによって要求データを提供するように構成されてもよい。ＵＥの処理回路はホストアプリケーションに関連付けられたクライアントアプリケーションを実行し、それによって要求データに応答してユーザデータを提供するように構成され得る。
【図面の簡単な説明】
【００３１】
本開示自体、好ましい使用形態、およびさらなる目的は、添付の図面と併せて読まれる際に実施形態の以下の詳細な説明を参照することによって最もよく理解される。
【００３２】
【図１】本開示の一実施形態による例示的なＳＳＢ構造を示す図である。
【００３３】
【図２】本開示の実施形態による例示的なＳＳバーストセット送信を示す図である。
【００３４】
【図３】本開示のいくつかの実施形態による方法を示すフローチャートである。
【００３５】
【図４】本開示のいくつかの実施形態による別の方法を示すフローチャートである。
【００３６】
【図５】本開示のいくつかの実施形態による装置を示すブロック図である。
【００３７】
【図６】本開示のいくつかの実施形態による別の装置を示すブロック図である。
【００３８】
【図７】本開示のいくつかの実施形態によるさらに別の装置を示すブロック図である。
【００３９】
【図８】本開示のいくつかの実施形態による、中間ネットワークを介してホストコンピュータに接続された電気通信ネットワークを示すブロック図である。
【００４０】
【図９】本開示のいくつかの実施形態による、基地局を介してＵＥと部分的な無線接続を介して通信するホストコンピュータを示すブロック図である。
【００４１】
【図１０】一実施形態による、通信システムにおいて実施される方法を示すフローチャートである。
【００４２】
【図１１】一実施形態による、通信システムにおいて実施される方法を示すフローチャートである。
【００４３】
【図１２】一実施形態による、通信システムにおいて実施される方法を示すフローチャートである。
【００４４】
【図１３】一実施形態による、通信システムにおいて実施される方法を示すフローチャートである。
【発明を実施するための形態】
【００４５】
以下、本発明の実施形態について、添付図面を参照しながら詳細に説明する。これらの実施形態は本開示の範囲に対するいかなる制限も示唆するのではなく、当業者が本開示をより良く理解し、したがって実施することを可能にする目的のためにのみ議論されることを理解されたい。本明細書を通して、特徴、利点または類似の言語について言及することは本開示によって実現されうる特徴および利点のすべてが、本開示のいかなる単一の実施形態においても、あるべきであるということを示唆するものではない。むしろ、特徴および利点を参照する文言は、実施形態に関連して説明された特定の特徴、利点、または特性が本開示の少なくとも１つの実施形態に含まれることを意味すると理解される。さらに、本開示の記載された特徴、利点、および特性は、１つ以上の実施形態において任意の適切な方法で組み合わせることができる。当業者は、本開示が特定の実施形態の特定の特徴または利点のうちの１つ以上なしで実施され得ることを認識するであろう。他の例では、追加の特徴および利点が本開示のすべての実施形態に存在しなくてもよい特定の実施形態において認識されてもよい。
【００４６】
本明細書で使用される「無線通信ネットワーク」という用語は、ＮＲ、ＬＴＥ−Ａｄｖａｎｃｅｄ、ＬＴＥ、広帯域符号分割多重アクセス（ＷＣＤＭＡ（登録商標））、高速パケットアクセス（ＨＳＰＡ）などの任意の適切な通信規格に従うネットワークを指す。さらに、通信ネットワーク内の端末デバイスとネットワークノードとの間の通信は第１世代（１Ｇ）、第２世代（２Ｇ）、２．５Ｇ、２．７５Ｇ、第３世代（３Ｇ）、４Ｇ、４．５Ｇ、５Ｇ通信プロトコル、および／または現在知られているかまたは将来開発される他の任意のプロトコルを含むがこれらに限定されない、任意の適切な世代通信プロトコルに従って実行されてもよい。
【００４７】
「ネットワークノード」という用語は無線通信ネットワーク内のネットワークデバイスを参照し、これを介して端末装置がネットワークにアクセスし、そこからサービスを受信する。ネットワークノードは、基地局（ＢＳ）、アクセスポイント（ＡＰ）、マルチセル／マルチキャスト協調エンティティ（ＭＣＥ）、ゲートウェイ、サーバ、コントローラ、または無線通信ネットワーク内の任意の他の適当な装置を参照することができる。ＢＳは例えば、ノードＢ（ＮｏｄｅＢまたはＮＢ）、発展型ＮｏｄｅＢ（ｅＮｏｄｅＢまたはｅＮＢ）、次世代ＮｏｄｅＢ（ｇＮｏｄｅＢまたはｇＮＢ）、遠隔無線ユニット（ＲＲＵ）、ラジオヘッダ（ＲＨ）、遠隔ラジオヘッド（ＲＲＨ）、リレー、フェムト、ピコなどの低出力ノード、などであってもよい。
【００４８】
ネットワークノードのさらに別の例は、ＭＳＲ  ＢＳなどのマルチスタンダード無線（ＭＳＲ）無線機器、無線ネットワークコントローラ（ＲＮＣ）または基地局コントローラ（ＢＳＣ）などのネットワークコントローラ、基地送受信局（ＢＴＳ）、送信ポイント、送信ノード、測位ノード、および／または類似のものを含む。しかしながら、より一般的には、ネットワークノードが無線通信ネットワークへの端末装置アクセスを可能にする、および／または提供する、または無線通信ネットワークにアクセスした端末装置に何らかのサービスを提供することが可能である、そのように構成される、配置される、および／または動作可能である、任意の適当なデバイス（またはデバイス群）を表してもよい。
【００４９】
「端末デバイス」という用語は無線通信ネットワークにアクセスし、そこからサービスを受信することができる任意の終端デバイスを指す。非限定的な例として、端末デバイスは、移動端末、ユーザ装置（ＵＥ）、または他の適当なデバイスを指すことができる。ＵＥは例えば、加入者局、携帯加入者局、移動局（ＭＳ）またはアクセス端末（ＡＴ）であってもよい。端末デバイスはポータブルコンピュータ、デジタルカメラなどの撮像端末デバイス、ゲーム端末デバイス、音楽記憶再生機器、移動電話器、携帯電話、スマートフォン、タブレット、ウェアラブルデバイス、携帯情報端末（ＰＤＡ）、車両などを含むことができるが、これらに限定されない。
【００５０】
端末デバイスは例えば、サイドリンク通信のための３ＧＰＰ標準を実装することによって、デバイスツーデバイス（Ｄ２Ｄ）通信をサポートしてもよく、この場合、Ｄ２Ｄ通信デバイスと呼ばれうる。
【００５１】
さらに別の具体例として、ＩｏＴ（Internet of Things）シナリオでは、端末デバイスがモニタリングおよび／または測定を実行し、そのようなモニタリングおよび／または測定の結果を別の端末デバイスおよび／またはネットワーク機器に送信する機械または他のデバイスを表してもよい。この場合、端末デバイスはマシンツーマシン（Ｍ２Ｍ）デバイスとすることができ、３ＧＰＰの文脈では、マシンタイプ通信（ＭＴＣ）デバイスと呼ぶことができる。
【００５２】
１つの具体例として、端末デバイスは、３ＧＰＰの狭帯域Internet of Things（ＮＢ−ＩｏＴ）規格を実装するＵＥであってもよい。そのような機械またはデバイスの特定の例は、センサ、電力計のような計量デバイス、産業機械、または冷蔵庫、テレビ、時計のような個人用ウェアラブルなどの家庭用または個人用機器である。他のシナリオでは、端末装置が車両または他の機器、例えば、その動作状態またはその動作に関連する他の機能を監視および／または報告することができる医療機器を表すことができる。
【００５３】
本明細書で使用されるように、用語「第１の」、「第２の」などは異なる要素を指す。単数形「１つの」および「１つの」は、文脈が沿わないことを明確に示さない限り、複数形も含むことが意図される。用語「備える」、「備える」、「有する」、「有する」、「含む」および／または「含む」は本明細書で使用されるように、述べられた特徴、要素、および／または構成要素などの存在を特定するが、１つ以上の他の特徴、要素、構成要素、および／またはそれらの組合せの存在または追加を排除しない。用語「に基づく」は「少なくとも部分的に基づいている」と読まれるべきである。用語「１つの実施形態」および「１つの実施形態」が「少なくとも１つの実施形態」と読まれるべきである。明示的および暗示的な他の定義を以下に含めることができる。
【００５４】
前述したように、無線通信ネットワークに接続するために、端末デバイスはネットワーク同期を取り、必須のＳＩを獲得する必要がありうる。同期信号は、ネットワークに対して端末デバイスの周波数を調整するため、およびネットワークからの受信信号の適切なタイミングを見つけるために使用されてもよい。ＮＲなどの無線通信ネットワークでは、同期およびアクセス手順がいくつかの信号、たとえば、１次同期信号（ＰＳＳ）、２次同期信号（ＳＳＳ）、および物理ブロードキャストチャネル（ＰＢＣＨ）を含むことができる。
【００５５】
ＰＳＳは、例えば数十ｐｐｍまでの高い初期周波数誤差の存在下でのネットワーク検出を可能にすることができる。さらに、ＰＳＳは、ネットワークタイミング基準を提供することができる。たとえば、ＬＴＥでＰＳＳ信号としてＺａｄｏｆｆ−Ｃｈｕ系列が選択されてもよく、ＮＲでＰＳＳ信号としてｍ系列が選択されてもよい。ＳＳＳはより正確な周波数調整およびチャネル推定を可能にすると同時に、セル識別子（ＩＤ）などの基本ネットワーク情報を提供することができる。ＰＢＣＨは、ランダムアクセスのための最小システム情報（ＳＩ）のサブセットを提供してもよい。また、例えば、セルから送信されるビーム間のタイミングを分離するために、セル内にタイミング情報を提供してもよい。もちろん、ＰＢＣＨに適合する情報の量は、サイズを小さく保つために非常に制限される。さらに、ＰＢＣＨを適切に受信するために、復調基準信号（ＤＭ−ＲＳ）をＰＢＣＨリソースとインターリーブすることができる。ＮＲのために提案されるＳＳ／ＰＢＣＨブロックまたはＳＳＢは、ＰＳＳ、ＳＳＳおよび関連するＤＭ−ＲＳのような上記の信号を含んでもよい。ＰＢＣＨは、ＳＳＢの一部であり得ることが理解され得る。
【００５６】
図１は、本開示の実施形態に係る例示的なＳＳＢ構造を示す図である。図１に示されるように、４つの直交周波数分割多重（ＯＦＤＭ）シンボルが例示的なＳＳＢのために予約され、これらは、それぞれ、図１において「ｌ0」、「ｌ0＋１」、「ｌ0＋２」および「ｌ0＋３」として示される。ＳＳＢ伝送は、ＮＲ−ＰＳＳ、ＮＲ−ＳＳＳおよびＮＲ−ＰＢＣＨ伝送を含んでもよい。例示的な実施形態ではＮＲ−ＰＳＳ伝送が１２７サブキャリア幅で定義されてもよく、一方、ＳＳ伝送全体は２４０サブキャリア幅であると仮定されてもよい。図１はまた、（２４−Ｘ）物理リソースブロック（ＰＲＢ）がＮＲ−ＰＢＣＨ伝送に使用されうることを示しており、ここで１ＰＲＢは１２のサブキャリアに対応し、Ｘは２０のＰＲＢまたはその他の適当な値であると仮定することができる。
【００５７】
図２は、本開示の実施形態に係る例示的なＳＳバーストセット伝送を示す図である。例示的な実施形態によれば、いくつかの（典型的には時間的にかなり近い）ＳＳＢが、ＳＳバーストセットを構成することができる。図２に示すように、Ｌ＝４（ここで、ＬはＳＳバーストセット内のＳＳＢの最大数である）を有する１５ｋＨｚのＳＣＳについて、最初の２つのスロットはＳＳＢを送信するために使用されてもよく（例えば、２つのＳＳＢのための各スロット）、残りの３つのスロットはＳＳＢ伝送のために使用されなくてもよい。同様に、Ｌ＝８の１５ｋＨｚのＳＣＳの場合、最初の４つのスロットはＳＳＢを送信するために使用されてもよく（例えば、２つのＳＳＢのための各スロット）、最後のスロットは、ＳＳＢ伝送のために使用されなくてもよい。また、図２に３０ｋＨｚ，１２０ｋＨｚ，２４０ｋＨｚのＳＣＳの場合についても同様のＳＳバーストセット伝送を示す。
【００５８】
例示的な実施形態によれば、ＳＳバーストセットは、周期的に送信されてもよい。ＳＳバーストセット内のＳＳＢを使用することによって、ＵＥはダウンリンクタイミング、周波数オフセットなどを決定し、ＰＢＣＨからいくつかの基本システム情報を取得することができる。アイドルモードにあるＮＲ  ＵＥは、２０ｍｓ毎に１回送信されるＳＳバーストセットを期待するように構成され得る。接続モードにあるＮＲ  ＵＥの場合、それは、５ｍｓごとに１回という頻度で送信されるＳＳバーストセットを期待するように構成されうる。ＵＥがダウンリンク同期を取得したとき、ＵＥは、どのスロットにおいてＳＳＢ伝送を予想するかを知ることができる。したがって、サブフレームレベル同期を導出するために、ＳＳバーストセット内のＳＳＢの位置をＵＥに提供する必要があってもよい。
【００５９】
図２に例示されているように、他の可能なＳＣＳヌメロロジ又は値、例えば、３０ｋＨｚのＳＣＳ、１２０ｋＨｚのＳＣＳ及び２４０ｋＨｚのＳＣＳも、ＳＳＢ伝送に適用することができる。用語「ヌメロロジ」は、ＳＣＳ、サイクリックプレフィックス（ＣＰ）の長さまたは持続時間、ＯＦＤＭシンボルの長さまたは持続時間、タイムスロットに含まれるシンボルの数、タイムスロット持続時間、および／または同様のものなど、信号伝送のための無線リソースに関連するいくつかのパラメータを指すために使用され得る。
【００６０】
例示的な実施形態によれば、パラメータセット（ＳＣＳ、シーケンス長、ＮＲ−ＳＳ伝送帯域幅などに関連するいくつかのデフォルトパラメータを含むことができる）は、ＮＲ−ＰＢＣＨ設計のための特定のＳＣＳヌメロロジおよび可能な最大伝送帯域幅に関連付けられてもよい。例えば、第１のパラメータセットは１５ｋＨｚのＳＣＳおよび５ＭＨｚ以下のＮＲ−ＰＢＣＨ伝送帯域幅に関連付けられてもよく、第２のパラメータセットは３０ｋＨｚのＳＣＳおよび１０ＭＨｚ以下のＮＲ−ＰＢＣＨ伝送帯域幅に関連付けられてもよく、第３のパラメータセットは１２０ｋＨｚのＳＣＳおよび４０ＭＨｚ以下のＮＲ−ＰＢＣＨ伝送帯域幅に関連付けられてもよく、第４のパラメータセットは２４０ｋＨｚのＳＣＳおよび８０ＭＨｚ以下のＮＲ−ＰＢＣＨ伝送帯域幅に関連付けられてもよい。
【００６１】
初期アクセスのために、ＵＥは、異なるサポートされた周波数帯域におけるＰＳＳシーケンスに基づいて周波数掃引を行う必要があり得る。一方、１つ以上のＳＣＳヌメロロジは、異なる周波数帯域に対して同時に適用されてもよい。例示的な実施形態によれば、ＮＲなどの無線通信ネットワークは例えば、非スタンドアローン（ＮＳＡ）のキャリアアクセスのために、ＳＳＢのために使用されるＳＣＳヌメロロジのネットワーク適応およびインジケーションをサポートし得る。ＮＳＡキャリアは、ＵＥが例えば、ＬＴＥネットワークからのネットワーク支援情報なしではアクセスすることができないキャリアである。
【００６２】
ターゲットＮＳＡキャリアが６ＧＨｚ以下の範囲にある場合、ネットワークは、ＳＳ伝送のために１５ｋＨｚ又は３０ｋＨｚのＳＣＳを適応又は選択することができる。ターゲットＮＳＡキャリアが６ＧＨｚを超える場合（例えば、６ＧＨｚ〜５２．６ＧＨｚの間）、ネットワークは、ＳＳ伝送のための１２０ｋＨｚまたは２４０ｋＨｚのＳＣＳに適応または選択してもよい。例示的な実施形態によれば、ネットワークは、ＵＥへのＳＳ伝送のために選択されたＳＣＳを示すことができる。ターゲットＮＳＡキャリア上のＳＳ伝送に使用されるＳＣＳヌメロロジの指示がない場合、ＵＥは、周波数キャリア当たりのＳＳ伝送のためのデフォルトＳＣＳヌメロロジを仮定することができる。
【００６３】
ＮＳＡシナリオと同様に、周波数帯域当たり１つ以上のＳＣＳヌメロロジはスタンドアロン（ＳＡ）のシナリオ、例えば、バンド５およびバンド６６などのいくつかのバンドについても可能であり得る。ＵＥがＮＲセルにアクセスするときに、常に２つ以上のＳＣＳを試みる必要がある場合、ＵＥの動作の複雑さは、非常に高くなりうる。ＵＥのためのＮＲセルにアクセスするために必要とされる電力消費および時間も増加され得る。ＵＥが周波数帯域ごとに単一のＳＣＳを見つけることを可能にするために、ネットワーク側が、ＳＳ伝送のために使用されるＳＣＳヌメロロジの情報をＵＥに配信することができることが有益であり得る。
【００６４】
本開示のいくつかの実施形態は、特定の例示的なネットワーク構成およびシステム配備のための非限定的な例として使用されるＬＴＥまたはＮＲ仕様に関して主に説明されることに留意されたい。したがって、本明細書で与えられる例示的な実施形態の説明は、それに直接関連する用語に特に言及する。そのような用語は、提示された非限定的な例および実施形態の文脈でのみ使用され、本開示をいかなる形でも限定しないことは当然である。むしろ、本明細書で説明される例示的な実施形態が適用可能である限り、任意の他のシステム構成または無線技術が等しく利用され得る。
【００６５】
図３は、本開示のいくつかの実施形態に係る方法３００を示すフローチャートである。図３に示された方法３００は、端末デバイスに実装された、または端末デバイスに通信可能に結合された装置によって実行され得る。例示的な実施形態によれば、端末デバイスは、ＵＥ、移動局、無線デバイス、ＰＤＡ、ラップトップコンピュータ、タブレットコンピュータ、スマートフォン、ポータブルデバイス、ＭＴＣデバイス、またはワイヤレスネットワークの通信に参加することができる任意の他のユーザデバイスを備えることができる。
【００６６】
図３に示す例示的な方法３００によれば、端末デバイスはブロック３０２に示すように、ｅＮＢまたはｇＮＢなどのネットワークノードからシグナリングメッセージを受信することができる。例えば、シグナリングメッセージは、ＳＳ伝送のためのＳＣＳヌメロロジを示すことができる。例示的な実施形態によれば、ＳＣＳヌメロロジは、ＮＲキャリアに適用可能であり得る。ブロック３０４に示すように、シグナリングメッセージに少なくとも部分的に基づいて、端末デバイスは、ＳＣＳヌメロロジを決定することができる。
【００６７】
例示的な実施形態によれば、シグナリングメッセージは、ブロードキャストシグナリングメッセージを含んでもよい。例えば、ブロードキャストシグナリングメッセージは、ネットワークノードからの無線リソース制御（ＲＲＣ）ブロードキャストシグナリングを含んでもよい。任意選択で、シグナリングメッセージは、ＮＲへの無線アクセス技術間（ＲＡＴ間）セル再選択のためのＬＴＥシステム情報ブロックタイプ２Ｎ（ＳＩＢ  ２Ｎ）情報エレメントなどの、セル再選択に関連する情報エレメントを含んでもよい。
【００６８】
代替として、シグナリングメッセージは、端末デバイスのための専用シグナリングメッセージを含んでもよい。例えば、専用シグナリングメッセージは、ネットワークノードからのＲＲＣ専用シグナリングを含んでもよい。任意選択で、シグナリングメッセージは、ＲＲＣ接続再構成メッセージ内のＬＴＥ測定対象ＮＲ（MeasObjectNR）情報エレメントなど、周波数測定に関連する情報エレメントを含んでもよい。
【００６９】
例示的な一実施形態に従って、シグナリングメッセージは例えば、６ＧＨｚ未満または６ＧＨｚ超の帯域における、指定された周波数帯域におけるＳＳ伝送のためのＳＣＳヌメロロジを示すためのインジケータを含んでもよい。ＳＣＳヌメロロジのインジケータは、シグナリングメッセージ内の１つ以上の新しく定義されたビット、予約されたビット、または再使用されたビットとすることができる。インジケータの異なる値は、異なるＳＣＳヌメロロジを示すために使用されてもよい。
【００７０】
ＮＳＡシナリオのための例示的な実施形態では、インジケータがＮＲへのＲＡＴ間セル再選択のためのRRC LTE SIB 2NなどのＲＲＣブロードキャストシグナリングにおいてＳＣＳヌメロロジを示すように定義され得る。あるいは、インジケータが例えば、ＬＴＥ  ｅＮＢがＵＥにＮＲ周波数を測定するように要求するとき、ＲＲＣ接続再構成メッセージ中のLTE MeasObjectNRのようなＲＲＣ専用シグナリング中のＳＣＳヌメロロジを示すように定義されてもよい。
【００７１】
ＳＡシナリオのための例示的な実施形態では、ＵＥのＳＡ非初期アクセスのためのＲＲＣ専用シグナリングにおけるＳＣＳヌメロロジを示すためにインジケータが定義され得る。例えば、ＳＣＳヌメロロジのインジケータはＵＥにサービス提供するｇＮＢによってＲＲＣ接続再構成メッセージのMeasObjectNR情報エレメントに追加されてもよく、その結果、ＵＥは、ｇＮＢがＵＥに測定させることを望む周波数でのＳＳ伝送のためのＳＣＳヌメロロジを知ることができる。ＳＡ初期アクセスの場合、ＵＥは、２つ以上のＳＣＳをブラインド検出することができる。例えば、ＵＥは、６ＧＨｚ未満の帯域については１５ｋＨｚのＳＣＳと３０ｋＨｚのＳＣＳの両方を、６ＧＨｚを超える帯域については１２０ｋＨｚと２４０ｋＨｚの両方を検出しようとすることがある。
【００７２】
例示的な実施形態によれば、図３に関連して説明したような端末デバイスは、決定されたＳＣＳヌメロロジに従ってＳＳ伝送を検出することができる。端末デバイスは、ブロードキャストされたシグナリングメッセージがないか、またはネットワークノードから受信された専用シグナリングメッセージがない場合、デフォルトのＳＣＳヌメロロジを使用することができることが理解されよう。
【００７３】
提案された解決策は、２つ以上のＳＣＳヌメロロジがＳＳ伝送に適用可能であり得るシナリオにおいて、ＳＳ伝送のための単一のＳＣＳヌメロロジを示すことをサポートすることができることが分かる。したがって、ＵＥのような端末デバイスは、帯域当たり１つのＳＣＳのみを介してＮＲセルを検出することができる。このようにして、ＵＥの動作の複雑さを低減することができる。さらに、ＮＲセルにアクセスするために必要とされる電力消費および時間は、ＵＥのために節約され得る。
【００７４】
図４は、本開示のいくつかの実施形態による方法４００を示すフローチャートである。図４に示す方法４００は、ネットワークノードに実装された、またはネットワークノードに通信可能に結合された装置によって実行されてもよい。例示的な実施形態によれば、ネットワークノードは、ｅＮＢ、ｇＮＢ、または無線ネットワークの通信に参加することができる任意の他のネットワークデバイスを備えることができる。
【００７５】
図３に示す例示的な方法３００の操作に対応して、例示的な方法４００のネットワークノードはブロック４０２に示すように、ＳＳ伝送のためのＳＣＳヌメロロジを示すシグナリングメッセージを決定することができる。続いて、ネットワークノードは図３に関連して説明したように、シグナリングメッセージを端末デバイスに送信することができる。前述したように、インジケータは、指定された周波数帯域におけるＳＳ伝送のためのＳＣＳヌメロロジを示すためにシグナリングメッセージに含まれてもよい。指示されたＳＣＳヌメロロジは、ＮＲキャリアに適用可能であり得る。
【００７６】
例示的な実施形態によれば、ＳＣＳヌメロロジは、端末デバイスに関連するネットワーク構成に適応することができる。例えば、より大きなＳＣＳを、より高速の場合に指定または構成することができる。したがって、無線ネットワークは、異なるＳＣＳ値が許容され得る複数のシナリオに対して、異なるＳＣＳヌメロロジを柔軟に適応させることが可能であり得る。
【００７７】
いくつかの例示的な実施形態によれば、ＮＲ  ＮＳＡシナリオのためのＮＲキャリアのＳＳＢのためのＳＣＳヌメロロジを示すための２つのスキームが存在し得る。スキームＩでは、新しいＬＴＥ  ＳＩＢ  ２Ｎ情報エレメントが対応する隣接ＮＲキャリアのＳＳＢのためのＳＣＳヌメロロジを示すために、各隣接ＮＲキャリアのためのビット（ボックスに示されるように、「subcarrierSpacing」フィールドにおいて「ENUMERATED」によって示される）を備えるフィールドを定義することによって、以下のように設計され得る。ＳＩＢ  ２Ｎ情報エレメントは、ＮＲ周波数およびＮＲ隣接セルに関するＲＡＴ間セル再選択情報を含むことができる、ＬＴＥにおいて定義された新しいＳＩＢである。
2021501497.tif 000003
【００７８】
スキームＩＩでは、ＲＲＣ接続再構成メッセージ内の新しいMeasObjectNR情報エレメントが特定のＮＲキャリアのためのビット（ボックス内に示されるように、「subcarrierSpacing」フィールド内の「ENUMERATED」によって示される）を備えるフィールドを定義することによって、以下のように設計され得る。したがって、ＬＴＥ  ｅＮＢがＵＥに特定のＮＲ周波数を測定させることを望む場合、MeasObjectNRの情報エレメントは、対応するＮＲキャリアのＳＳＢのためのＳＣＳヌメロロジを示すために使用され得る。MeasObjectNRの情報エレメントは、ＲＡＴ間ＮＲ隣接セルに適用可能な情報を指定することができる。
2021501497.tif 000004
【００７９】
いくつかの例示的な実施形態によれば、スキームＩまたはスキームＩＩで定義されるsubcarrierSpacingフィールドは、特定の周波数のＳＳＢのためのＳＣＳヌメロロジに関連する情報を提供するために１ビットを備えることができる。例えば、ビットを「０」に設定すると、６ＧＨｚ未満の帯域では１５ｋＨｚのＳＣＳがＳＳＢに、６ＧＨｚを超える帯域では１２０ｋＨｚのＳＣＳがＳＳＢに使用されることが指示される。これに対応して、ビットを「１」に設定すると、６ＧＨｚ未満の帯域では３０ｋＨｚのＳＣＳがＳＳＢに、６ＧＨｚを超える帯域では２４０ｋＨｚのＳＣＳがＳＳＢに使用されることが指示される場合がある。ブロードキャストされた信号がない場合、デフォルトＳＣＳを使用することができる。このビットはまた、特定の周波数のＳＳＢに対するＳＣＳヌメロロジを示すのに適した他の値として設定されてもよいことが理解されるであろう。
【００８０】
したがって、ＮＳＡシナリオの場合、例えば、ＵＥがアイドルモードにある場合のように、ＬＴＥ  ｅＮＢに接続されていないＵＥでさえ、スキームＩに係るＮＲ周波数のＳＣＳヌメロロジを知ることができることが分かる。一方、スキームＩＩによれば、例えば、ＵＥが接続モードにある場合のように、ＬＴＥ  ｅＮＢに接続されているＵＥが、ＮＲ周波数のＳＣＳヌメロロジを知ることができる。
【００８１】
ＮＲ  ＳＡシナリオでは、スキームＩＩと同様のアプローチを使用して、ＲＲＣ接続されたＵＥのためのｇＮＢによる周波数／帯域のＳＳＢのためのＳＣＳヌメロロジを示すことができる。例えば、スキームＩＩに記載されるようなsubcarrierSpacingフィールドは、ＮＲ  ＳＡシナリオにおけるMeasObjectNR情報エレメントに追加されて、ｇＮＢがＵＥに測定させることを望む周波数のＳＳＢのＳＣＳヌメロロジを示してもよい。
【００８２】
本明細書で説明されるＳＣＳヌメロロジに関連するパラメータ、変数、および設定は、単なる例であることが理解されるのであろう。他の適切なパラメータ設定、関連する構成パラメータ、およびそれらの特定の値もまた、提案された方法を実施するために適用可能であり得る。
【００８３】
１つ以上の例示的な実施形態による提案された解決策は特定の周波数帯域に関するＳＣＳ情報がネットワークノードによって端末デバイスに示されることを可能にすることができ、その結果、端末デバイスは特定の周波数帯域上でのＳＳ伝送に関するＳＣＳヌメロロジを知ることができ、したがって、ＳＳ検出をより効率的に実行することができる。例えば、ＵＥは帯域当たり単一のＳＣＳを介してＮＲセルを検出することができ、それによって、ブラインドＳＣＳ検出を回避し、ＵＥの複雑さ、電力消費、およびＮＲセルにアクセスするために必要とされる時間を低減することができる。さらに、提案された解決策は、特定のシナリオに対して適切なＳＣＳヌメロロジを適合させる可能性を提供することができる。例えば、ネットワークは、様々なシナリオに対して様々なＳＣＳヌメロロジを柔軟に適応させることができる。
【００８４】
図３〜図４に示される様々なブロックは、方法ステップとして、および／またはコンピュータプログラムコードの操作から生じる操作として、および／または関連する機能を実行するように構成された複数の結合された論理回路要素として見ることができる。上述の概略フローチャート図は一般に、論理フローチャート図として記載される。したがって、示された順序およびラベル付けされたステップは、提示された方法の特定の実施形態を示す。図示された方法の機能、ロジック、または１つ以上のステップ、またはその一部と同等である他のステップおよび方法を考えることができる。さらに、特定の方法が行われる順序は、図示された対応するステップの順序に厳密に従ってもよいし、従わなくてもよい。
【００８５】
図５は、本開示の様々な実施形態による装置５００を示すブロック図である。図５に示すように、装置５００は、プロセッサ５０１などの１つ以上のプロセッサと、コンピュータプログラムコード５０３を記憶するメモリ５０２などの１つ以上のメモリとを備えてもよい。メモリ５０２は、一時的でないマシン／プロセッサ／コンピュータ可読記憶媒体であってもよい。いくつかの実施形態では、１つ以上のメモリ５０２およびコンピュータプログラムコード５０３が１つ以上のプロセッサ５０１によって、少なくとも図３に関連して説明した方法の任意の操作を装置５００に行わせるように構成されてもよい。他の実施形態では、１つ以上のメモリ５０２およびコンピュータプログラムコード５０３が１つ以上のプロセッサ５０１によって、少なくとも図４に関連して説明した方法の任意の操作を装置５００に行わせるように構成されてもよい。
【００８６】
代替的にまたは追加的に、１つ以上のメモリ５０２およびコンピュータプログラムコード５０３は１つ以上のプロセッサ５０１とともに、本開示の例示的な実施形態による提案された方法を実施するために、装置５００により多くのまたはより少ない操作を少なくとも実行させるように構成されてもよい。
【００８７】
図６は、本開示のいくつかの実施形態による装置６００を示すブロック図である。図６に示されるように、装置６００は、受信ユニット６０１および決定ユニット６０２を備え得る。例示的な実施形態では、装置６００がＵＥなどの端末デバイスにおいて実施され得る。受信ユニット６０１はブロック３０２において動作を実行するように動作可能であってもよく、決定ユニット６０２はブロック３０４において動作を実行するように動作可能であってもよい。任意選択で、受信ユニット６０１および／または決定ユニット６０２は本開示の例示的な実施形態による提案された方法を実装するために、より多くのまたはより少ない操作を実行するように操作可能であってもよい。
【００８８】
図７は、本開示のいくつかの実施形態による装置７００を示すブロック図である。図７に示すように、装置７００は、決定ユニット７０１と送信ユニット７０２とを備えることができる。例示的な実施形態では、装置７００は基地局などのネットワークノードにおいて実装されてもよい。決定ユニット７０１はブロック４０２において動作を実行するように動作可能であってもよく、送信ユニット７０２はブロック４０４において動作を実行するように動作可能であってもよい。任意選択で、決定ユニット７０１および／または送信ユニット７０２は本開示の例示的な実施形態による提案された方法を実施するために、より多くのまたはより少ない操作を実行するように操作可能であってもよい。
【００８９】
図８は、本開示のいくつかの実施形態による、中間ネットワークを介してホストコンピュータに接続された電気通信ネットワークを示すブロック図である。
【００９０】
図８を参照すると、実施形態に従って、通信システムは、無線アクセスネットワークのようなアクセスネットワーク８１１とコアネットワーク８１４とを含む３ＧＰＰタイプのセルラネットワークのような電気通信ネットワーク８１０を含む。アクセスネットワーク８１１はＮＢ、ｅＮＢ、ｇＮＢ、または他のタイプのワイヤレスアクセスポイントなどの複数の基地局８１２ａ、８１２ｂ、８１２ｃを備え、それぞれは対応するカバレッジエリア８１３ａ、８１３ｂ、８１３ｃを定義する。各基地局８１２ａ、８１２ｂ、８１２ｃは、有線または無線接続８１５を介してコアネットワーク８１４に接続可能である。カバレッジエリア８１３ｃに位置する第１のＵＥ８９１は、対応する基地局８１２ｃに無線で接続されるか、またはページングされるように構成されている。カバレッジエリア８１３ａ内の第２のＵＥ８９２は、対応する基地局８１２ａに無線で接続可能である。本例では複数のＵＥ８９１、８９２が図示されているが、開示された実施形態は単独のＵＥがカバレッジエリア内にある状況、または単独のＵＥが対応する基地局８１２に接続している状況に等しく適用可能である。
【００９１】
電気通信ネットワーク８１０は、それ自体、スタンドアロンサーバ、クラウド型のサーバ、分散サーバ、またはサーバファーム内の処理リソースとして、ハードウェアおよび／またはソフトウェアに具現化され得るホストコンピュータ８３０に接続される。ホストコンピュータ８３０はサービスプロバイダの所有または制御下にあってもよいし、サービスプロバイダによって、またはサービスプロバイダの代わりに操作されてもよい。電気通信ネットワーク８１０とホストコンピュータ８３０との間の接続８２１および８２２は、コアネットワーク８１４からホストコンピュータ８３０に直接拡張してもよく、あるいは任意の中間ネットワーク８２０を介してもよい。中間ネットワーク８２０はパブリック、プライベート、またはホステッドネットワークのうちの１つ、またはその複数の組合せであってもよく、中間ネットワーク８２０はもしあれば、バックボーンネットワークまたはインターネットであってもよく、特に、中間ネットワーク８２０は、２つ以上のサブネットワーク（不図示）を含んでもよい。
【００９２】
図８の通信システム全体は、接続されたＵＥ８９１、８９２とホストコンピュータ８３０との間の接続性を実現する。接続性は、オーバーザトップ（ＯＴＴ）の接続８５０として説明することができる。ホストコンピュータ８３０および接続されたＵＥ８９１、８９２は、アクセスネットワーク８１１、コアネットワーク８１４、任意の中間ネットワーク８２０および可能なさらなるインフラストラクチャ（図示せず）を介在物として使用して、ＯＴＴ接続８５０を介してデータおよび／または信号を通信するように構成される。ＯＴＴ接続８５０は、ＯＴＴ接続８５０が通過する通信参加デバイスがアップリンク通信およびダウンリンク通信のルーティングに気付かないという意味で、トランスペアレント（透過的）であってもよい。例えば、基地局８１２は、接続されたＵＥ８９１に転送（例えば、ハンドオーバ）されるべきホストコンピュータ８３０から発信されたデータを有する着信ダウンリンク通信の過去のルーティングを知らされなくてもよいし、知らされなくてもよい。同様に、基地局８１２は、ホストコンピュータ８３０に向けてＵＥ８９１から発信される発信アップリンク通信の将来のルーティングを認識する必要はない。
【００９３】
図９は、本開示のいくつかの実施形態による、部分的に無線接続を介してＵＥと基地局を介して通信するホストコンピュータを示すブロック図である。
【００９４】
先の段落で論じたＵＥ、基地局、およびホストコンピュータの、一実施形態による例示的な実装形態を、図９を参照して以下に説明する。通信システム９００において、ホストコンピュータ９１０は、通信システム９００の異なる通信装置のインターフェースとの有線または無線接続をセットアップし維持するように構成された通信インターフェース９１６を含むハードウェア９１５を含む。ホストコンピュータ９１０は、記憶および／または処理能力を有することができる処理回路９１８をさらに備える。特に、処理回路９１８は、命令を実行するように構成された１つ以上のプログラマブルプロセッサ、特定用途向け集積回路、フィールドプログラマブルゲートアレイまたはこれらの組み合わせ（図示せず）を含んでもよい。ホストコンピュータ９１０はさらにソフトウェア９１１を構成し、それがホストコンピュータ９１０に記憶され、又はアクセス可能であり、処理回路９１８によって実行可能である。ソフトウェア９１１は、ホストアプリケーション９１２を含む。ホストアプリケーション９１２は、ＵＥ９３０およびホストコンピュータ９１０で終端するＯＴＴ接続９５０を介して接続するＵＥ９３０などのリモートユーザにサービスを提供するように動作可能である。サービスをリモートユーザに提供する際に、ホストアプリケーション９１２は、ＯＴＴ接続９５０を使用して送信されるユーザデータを提供することができる。
【００９５】
通信システム９００は、電気通信システムに設けられ、ホストコンピュータ９１０およびＵＥ９３０と通信することを可能にするハードウェア９２５を含む基地局９２０をさらに含む。ハードウェア９２５は、通信システム９００の異なる通信デバイスのインターフェースとの有線または無線接続をセットアップおよび維持するための通信インターフェース９２６と、基地局９２０によってサービスされるカバレッジエリア（図９には示されていない）に位置するＵＥ９３０との少なくとも無線接続９７０をセットアップおよび維持するための無線インターフェース９２７とを含み得る。通信インターフェース９２６は、ホストコンピュータ９１０への接続９６０を容易にするように構成されてもよい。接続９６０は直接的であってもよいし、電気通信システムのコアネットワーク（図９には図示せず）および／または電気通信システムの外部の１つ以上の中間ネットワークを通過してもよい。図示の実施形態では基地局９２０のハードウェア９２５は処理回路９２８をさらに含み、処理回路は１つ以上のプログラマブルプロセッサ、特定用途向け集積回路、フィールドプログラマブルゲートアレイ、または命令を実行するように適合されたこれら（図示せず）の組み合わせを含んでもよい。基地局９２０はさらに、内部に格納された、または外部接続を介してアクセス可能なソフトウェア９２１を有する。
【００９６】
通信システム９００は、既に参照したＵＥ９３０をさらに含む。そのハードウェア９３５はＵＥ９３０が現在位置するカバレッジエリアにサービスを提供する基地局との無線接続９７０をセットアップし、維持するように構成された無線インターフェース９３７を含み得る。ＵＥ９３０のハードウェア９３５は処理回路９３８を更に含み、処理回路は、命令を実行するように構成された１つ以上のプログラマブルプロセッサ、特定用途向け集積回路、フィールドプログラマブルゲートアレイ又はこれらの組合せ（図示せず）を含み得る。ＵＥ９３０はさらにソフトウェア９３１を構成し、これらはＵＥ９３０内に記憶されるかアクセス可能であり、処理回路９３８によって実行可能である。ソフトウェア９３１は、クライアントアプリケーション９３２を含む。クライアントアプリケーション９３２はホストコンピュータ９１０のサポートにより、ＵＥ９３０を介して人間または非人間のユーザにサービスを提供するように動作可能である。ホストコンピュータ９１０において実行しているホストアプリケーション９１２は、ＵＥ９３０およびホストコンピュータ９１０で終端するＯＴＴ接続９５０を介して、実行しているクライアントアプリケーション９３２と通信することができる。ユーザにサービスを提供する際に、クライアントアプリケーション９３２はホストアプリケーション９１２から要求データを受信し、要求データに応答してユーザデータを提供してもよい。ＯＴＴ接続９５０は、要求データとユーザデータの両方を転送してもよい。クライアントアプリケーション９３２は、ユーザと対話して、それが提供するユーザデータを生成することができる。
【００９７】
図９に示されるホストコンピュータ９１０、基地局９２０、およびＵＥ９３０は、それぞれ、ホストコンピュータ８３０、基地局８１２ａ、８１２ｂ、８１２ｃのうちの１つ、および図８のＵＥ８９１、８９２のうちの１つと類似または同一であり得ることに留意されたい。すなわち、これらのエンティティの内部動作は図９に示されるようなものであってもよく、独立して、周囲のネットワークトポロジは図８のものであってもよい。
【００９８】
図９では、ＯＴＴ接続９５０がいかなる中間デバイスも明示的に参照することなく、基地局９２０を介したホストコンピュータ９１０とＵＥ９３０との間の通信、およびこれらのデバイスを介したメッセージの正確なルーティングを示すために抽象的に描かれている。ネットワークインフラストラクチャはルーティングを決定してもよく、これは、ＵＥ９３０から、またはホストコンピュータ９１０を操作するサービスプロバイダから、あるいはその両方から隠すように構成してもよい。ＯＴＴ接続９５０がアクティブである間、ネットワークインフラストラクチャはルーティングを動的に（例えば、負荷分散の考慮またはネットワークの再構成に基づいて）変更する決定をさらに行うことができる。
【００９９】
ＵＥ９３０と基地局９２０との間の無線接続９７０は、本開示全体にわたって説明される実施形態の教示に従う。様々な実施形態のうちの１つ以上は、無線接続９７０が最後のセグメントを形成するＯＴＴ接続９５０を使用して、ＵＥ９３０に提供されるＯＴＴサービスの性能を改善する。より正確には、これらの実施形態の教示が待ち時間および電力消費を改善することができ、それによって、より低い複雑性、セルにアクセスするために必要な時間の短縮、より良い応答性、バッテリ寿命の延長などの利点を提供する。
【０１００】
１つ以上の実施形態が改善するデータ速度、待ち時間、および他の要因をモニタする目的で、測定手順を提供することができる。さらに、測定結果の変動に応答して、ホストコンピュータ９１０とＵＥ９３０との間のＯＴＴ接続９５０を再構成するためのオプションのネットワーク機能があってもよい。ＯＴＴ接続９５０を再構成するための測定手順および／またはネットワーク機能は、ホストコンピュータ９１０のソフトウェア９１１およびハードウェア９１５、またはＵＥ９３０のソフトウェア９３１およびハードウェア９３５、あるいはその両方で実現することができる。実施形態ではＯＴＴ接続９５０が通過する通信デバイスに、または通信デバイスに関連してセンサ（不図示）が設置されてもよく、センサは上述して例示された監視量の値を供給することによって、またはソフトウェア９１１、９３１が監視量を計算または推定することができる他の物理量の値を供給することによって、測定手順に関与してもよい。ＯＴＴ接続９５０の再構成はメッセージフォーマット、再送設定、好ましいルーティングなどを含むことができ、再構成は、基地局９２０に影響を及ぼす必要はなく、基地局９２０には知られていないか、または知覚できないことがある。このような手順および機能性は当技術分野で公知であり、実践され得る。いくつかの実施形態では、測定がホストコンピュータ９１０のスループット、伝搬時間、待ち時間などの測定を容易にする独自のＵＥシグナリングを含むことができる。測定は、ソフトウェア９１１および９３１が伝搬時間、エラーなどをモニタしながら、ＯＴＴ接続９５０を使用して、メッセージ、特に空または「ダミー」メッセージを送信させることによって実施することができる。
【０１０１】
図１０は、一実施形態による、通信システムにおいて実施される方法を示すフローチャートである。通信システムはホストコンピュータ、基地局、およびＵＥを含み、これらは図８および図９を参照して説明したものとすることができる。本開示を簡単にするために、図１０を参照する図面のみがこのセクションに含まれる。ステップ１０１０において、ホストコンピュータはユーザデータを提供する。ステップ１０１０のサブステップ１０１１（オプションであってもよい）において、ホストコンピュータは、ホストアプリケーションを実行することによって、ユーザデータを提供する。ステップ１０２０において、ホストコンピュータは、ユーザデータをＵＥに運ぶ送信を開始する。ステップ１０３０（オプションであってもよい）において、基地局は、本開示全体にわたって説明される実施形態の教示に従って、ホストコンピュータが開始した送信において搬送されたユーザデータをＵＥに送信する。ステップ１０４０において、ＵＥは、ホストコンピュータによって実行されるホストアプリケーションに関連するクライアントアプリケーションを実行する。
【０１０２】
図１１は、一実施形態による、通信システムにおいて実施される方法を示すフローチャートである。通信システムはホストコンピュータ、基地局、およびＵＥを含み、これらは図８および図９を参照して説明したものとすることができる。本開示を簡単にするために、図１１に対する図面参照のみがこのセクションに含まれる。方法のステップ１１１０において、ホストコンピュータはユーザデータを提供する。任意のサブステップ（図示せず）では、ホストコンピュータがホストアプリケーションを実行することによってユーザデータを提供する。ステップ１１２０において、ホストコンピュータは、ユーザデータをＵＥに搬送する伝送を開始する。伝送は、本開示全体にわたって説明される実施形態の教示に従って、基地局を通過し得る。ステップ１１３０において（オプションであってもよい）、ＵＥは、伝送において搬送されるユーザデータを受信する。
【０１０３】
図１２は、一実施形態に係る、通信システムにおいて実施される方法を示すフローチャートである。通信システムはホストコンピュータ、基地局、およびＵＥを含み、これらは図８および図９を参照して説明したものとすることができる。本開示を簡単にするために、図１２を参照する図面のみが本節に含まれる。ステップ１２１０において（任意選択であってもよい）、ＵＥは、ホストコンピュータによって提供される入力データを受信する。さらに、または代替的に、ステップ１２２０において、ＵＥは、ユーザデータを提供する。ステップ１２２０のサブステップ１２２１（オプションであってもよい）において、ＵＥは、クライアントアプリケーションを実行することによって、ユーザデータを提供する。ステップ１２１０のサブステップ１２１１（オプションであってもよい）において、ＵＥは、ホストコンピュータによって提供された受信入力データに応答してユーザデータを提供するクライアントアプリケーションを実行する。ユーザデータを提供する際に、実行されたクライアントアプリケーションは、ユーザから受け取ったユーザ入力をさらに考慮してもよい。ユーザデータが提供された特定の方法にかかわらず、ＵＥは、サブステップ１２３０（オプションであってもよい）において、ユーザデータのホストコンピュータへの送信を開始する。本方法のステップ１２４０において、ホストコンピュータは、本開示全体にわたって説明される実施形態の教示に従って、ＵＥから送信されたユーザデータを受信する。
【０１０４】
図１３は、一実施形態による、通信システムにおいて実施される方法を示すフローチャートである。通信システムはホストコンピュータ、基地局、およびＵＥを含み、これらは図８および図９を参照して説明したものとすることができる。本開示を簡単にするために、図１３を参照する図面のみがこのセクションに含まれる。ステップ１３１０（オプションであってもよい）において、本開示全体にわたって説明される実施形態の教示に従って、基地局は、ＵＥからユーザデータを受信する。ステップ１３２０で、基地局は、受信したユーザデータのホストコンピュータへの送信を開始する。ステップ１３３０において（オプションであってもよい）、ホストコンピュータは、基地局によって開始された伝送において搬送されるユーザデータを受信する。
【０１０５】
一般に、様々な例示的な実施形態は、ハードウェアまたは専用チップ、回路、ソフトウェア、ロジック、またはそれらの任意の組合せで実装され得る。例えば、いくつかの態様はハードウェアで実装されてもよく、他の態様はコントローラ、マイクロプロセッサ、または他のコンピューティングデバイスによって実行されてもよいファームウェアまたはソフトウェアで実装されてもよいが、本開示はそれに限定されない。本開示の例示的な実施形態の様々な態様はブロック図、フローチャートとして、または何らかの他の絵画的表現を使用して図示および説明され得るが、本明細書で説明されるこれらのブロック、装置、システム、技法、または方法は非限定的な例として、ハードウェア、ソフトウェア、ファームウェア、専用回路またはロジック、汎用ハードウェアまたはコントローラもしくは他のコンピューティングデバイス、あるいはそれらの何らかの組合せで実装され得ることを十分に理解されたい。
【０１０６】
したがって、本開示の例示的な実施形態の少なくともいくつかの態様は、集積回路チップおよびモジュールなどの様々な構成要素において実施され得ることを理解されたい。したがって、本開示の例示的な実施形態は集積回路として実施される装置において実現されてもよく、集積回路は本開示の例示的な実施形態に従って動作するように構成可能な、データプロセッサ、デジタル信号プロセッサ、ベースバンド回路、および無線周波数回路のうちの少なくとも１つ以上を実施するための回路（ならびに場合によってはファームウェア）を備えてもよいことを理解されたい。
【０１０７】
本開示の例示的な実施形態の少なくともいくつかの態様は、１つ以上のコンピュータまたは他のデバイスによって実行される、１つ以上のプログラムモジュールなどのコンピュータ実行可能命令で実施されてもよいことを理解されたい。一般に、プログラムモジュールは、特定のタスクを実行するか、またはコンピュータまたは他のデバイス内のプロセッサによって実行されるときに特定の抽象データ型を実装するルーチン、プログラム、オブジェクト、構成要素、データ構造などを含む。コンピュータ実行可能命令は、ハードディスク、光ディスク、リムーバブル記憶媒体、ソリッドステートメモリ、ランダムアクセスメモリ等のコンピュータ読み取り可能媒体に記憶することができる。当業者には理解されるように、プログラムモジュールの機能は、様々な実施形態において所望に応じて組み合わされても分散されてもよい。さらに、この機能は全体または部分的に、集積回路、フィールドプログラマブルゲートアレイ（ＦＰＧＡ）などのファームウェアまたはハードウェアの等価物で実施することができる。
【０１０８】
本開示は、本明細書に開示された任意の新規な特徴または特徴の組み合わせを、明示的にまたは任意の一般化したものを含む。本開示の前述の例示的な実施形態に対する様々な修正および適応は、添付の図面と併せて読めば、前述の説明を鑑みて、関連する技術に熟練した当業者であれば明らかになるであろう。しかしながら、任意のおよびすべての改変は、依然として、本開示の非限定的で例示的な実施形態の範囲内に収まるであろう。
【図１】
2021501497.tif 000005
【図２】
2021501497.tif 000006
【図３】
2021501497.tif 000007
【図４】
2021501497.tif 000008
【図５】
2021501497.tif 000009
【図６】
2021501497.tif 000010
【図７】
2021501497.tif 000011
【図８】
2021501497.tif 000012
【図９】
2021501497.tif 000013
【図１０】
2021501497.tif 000014
【図１１】
2021501497.tif 000015
【図１２】
2021501497.tif 000016
【図１３】
2021501497.tif 000017
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
ユーザ装置において実施される方法（３００）であって、
シグナリングメッセージであって、同期信号伝送のためのサブキャリア間隔ヌメロロジを示す前記シグナリングメッセージをネットワークノードから受信すること（３０２）と、
前記シグナリングメッセージに少なくとも部分的に基づいて前記サブキャリア間隔ヌメロロジを決定すること（３０４）と、
を含むことを特徴とする方法。
【請求項２】
請求項１に記載の方法であって、前記シグナリングメッセージは、ブロードキャストシグナリングメッセージを含むことを特徴とする方法。
【請求項３】
請求項１または２に記載の方法であって、前記シグナリングメッセージは、セル再選択に関連付けられた情報エレメントを含むことを特徴とする方法。
【請求項４】
請求項１に記載の方法であって、前記シグナリングメッセージは、前記ユーザ装置のための専用シグナリングメッセージを含むことを特徴とする方法。
【請求項５】
請求項１または４に記載の方法であって、前記シグナリングメッセージは、周波数測定に関連付けられた情報エレメントを含むことを特徴とする方法。
【請求項６】
請求項１から５のいずれか１項に記載の方法であって、前記シグナリングメッセージは、指定された周波数帯における前記同期信号伝送のための前記サブキャリア間隔ヌメロロジを指示するためのインジケータを含むことを特徴とする方法。
【請求項７】
請求項１から６のいずれか１項に記載の方法であって、前記サブキャリア間隔ヌメロロジは、Ｎｅｗ  Ｒａｄｉｏのキャリアに適用可能であることを特徴とする方法。
【請求項８】
請求項１から７のいずれか１項に記載の方法であって、前記決定されたサブキャリア間隔ヌメロロジに従って前記同期信号伝送を検出することをさらに含むことを特徴とする方法。
【請求項９】
請求項１および請求項３から８のいずれか１項に記載の方法であって、前記シグナリングメッセージは、Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎメッセージであることを特徴とする方法。
【請求項１０】
請求項１および請求項３から９のいずれか１項に記載の方法であって、前記シグナリングメッセージは、前記同期信号伝送のためのサブキャリア間隔ヌメロロジを指示するＭｅａｓＯｂｊｅｃｔＮＲ情報エレメントを含むことを特徴とする方法。
【請求項１１】
装置（５００）であって、
１つ以上のプロセッサ（５０１）と、
コンピュータプログラムコード（５０３）を含む１つ以上のメモリ（５０２）と、
を備え、前記１つ以上のメモリ（５０２）と前記コンピュータプログラムコード（５０３）とが前記１つ以上のプロセッサ（５０１）とともに、前記装置（５００）に、
シグナリングメッセージであって、同期信号伝送のためのサブキャリア間隔ヌメロロジを示す前記シグナリングメッセージをネットワークノードから受信させ、
前記シグナリングメッセージに少なくとも部分的に基づいて前記サブキャリア間隔ヌメロロジを決定させる、
よう構成されることを特徴とする装置。
【請求項１２】
ネットワークノードで実施される方法（４００）であって、
同期信号伝送のためのサブキャリア間隔ヌメロロジを指示するシグナリングメッセージを決定すること（４０２）と、
前記シグナリングメッセージをユーザ装置に送信すること（４０４）と、
を含むことを特徴とする方法。
【請求項１３】
請求項１２に記載の方法であって、前記シグナリングメッセージは、ブロードキャストシグナリングメッセージを含むことを特徴とする方法。
【請求項１４】
請求項１２または１３に記載の方法であって、前記シグナリングメッセージは、セル再選択に関連付けられた情報エレメントを含むことを特徴とする方法。
【請求項１５】
請求項１２に記載の方法であって、前記シグナリングメッセージは、前記ユーザ装置のための専用シグナリングメッセージを含むことを特徴とする方法。
【請求項１６】
請求項１２または１５に記載の方法であって、前記シグナリングメッセージは、周波数測定に関連付けられた情報エレメントを含むことを特徴とする方法。
【請求項１７】
請求項１２から１６のいずれか１項に記載の方法であって、前記シグナリングメッセージは、指定された周波数帯における前記同期信号伝送のための前記サブキャリア間隔ヌメロロジを示すためのインジケータを含むことを特徴とする方法。
【請求項１８】
請求項１２から１７のいずれか１項に記載の方法であって、前記サブキャリア間隔ヌメロロジは、Ｎｅｗ  Ｒａｄｉｏのキャリアに適用可能であることを特徴とする方法。
【請求項１９】
請求項１２から１８のいずれか１項に記載の方法であって、前記サブキャリア間隔ヌメロロジは、前記ユーザ装置に関連付けられたネットワーク構成に適応可能であることを特徴とする方法。
【請求項２０】
請求項１２および請求項１４から１９のいずれか１項に記載の方法であって、前記シグナリングメッセージは、Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎメッセージであることを特徴とする方法。
【請求項２１】
請求項１２および請求項１４から２０のいずれか１項に記載の方法であって、前記シグナリングメッセージは、前記同期信号伝送のための前記サブキャリア間隔ヌメロロジを示すＭｅａｓＯｂｊｅｃｔＮＲ情報エレメントを含むことを特徴とする方法。
【請求項２２】
装置（５００）であって、
１つ以上のプロセッサ（５０１）と、
コンピュータプログラムコード（５０３）を含む１つ以上のメモリ（５０２）と、
を備え、前記１つ以上のメモリ（５０２）と前記コンピュータプログラムコード（５０３）とが前記１つ以上のプロセッサ（５０１）とともに、前記装置（５００）に、
同期信号伝送のためのサブキャリア間隔ヌメロロジを指示するシグナリングメッセージを決定させ、
前記シグナリングメッセージをユーザ装置に送信させる、
よう構成されることを特徴とする装置。
【国際調査報告】
2021501497.tif 000018
2021501497.tif 000019